(57)【特許請求の範囲】
【請求項１】
組み立てた状態で、前パネル、該前パネルと対向する後パネル、該後パネルと前記前パネルとの左右の側部間を閉塞し互いに対向する側パネル、天部開放部を閉塞する天パネルと天上パネル、底部開放部を閉塞する底パネルと底上パネルを有し、
前記前パネルには、両側端縁間に亘って切り取り線を設け、前記側パネルには、前記切り取り線に連なる切れ線を設け、前記後パネルには、前記切れ線と連続する折れ線を設けたカートンであって、
前記天パネルには、係止パネルを、折れ線を介して連設し、開封前に、該係止パネルが、折り込まれて前記前パネルの上部の裏面側に位置し、前記係止パネルの先端辺が前記切り取り線よりも下方に位置していることを特徴とする易開封性カートン。
【発明の詳細な説明】
【０００１】
【発明の属する技術分野】
本発明は、再封性を有し、かつ、バージン性を有する易開封性カートンに関するものである。
【０００２】
【従来の技術】
従来より、易開封性を有するカートンとして、カートン上部を後パネルの一部をヒンジとして後方に回動させることにより開封することができる、いわゆるヘッドバック式のカートンとしては、タバコ、チョコレートなどのカートンとして広く使用されているヒンジリッド型のカートンがある。また、ヒンジリッド型のカートン以外にも、ジッパー、切れ線をカートンの横方向に設け、このジッパー、切れ線を切り取ることにより開封する形態のカートンも菓子、チョコレートなどのカートンとして広く一般的に使用されている。図８−ａに示すように、この従来の易開封性カートンの一例である易開封性カートンＰでは、開封前の易開封性カートンの前パネル１に設けたジッパー部Ｚの開始端を摘んで切り取り、側パネル２、４の切れ線を切り裂くことにより、前パネル１が上下に切断される。
【０００３】
つぎに、易開封性カートンＰのジッパー部Ｚよりも上の部分が把持され、これを後パネル２側に折るように回動させる。これにより、切れ線α３、切れ線α４は、上下方向の引張力により破断し、側パネル２、側パネル４を上下に切断する。この切れ線α３、切れ線α４の切断により、これらの上方には易開封性カートンＰの上の部分が形成される。
【０００４】
そして、その回動動作によって後パネル２に設けられた折れ線Ｈがヒンジとなり、カートン上部はこの折れ線Ｈを回転中心として後方へ回動される。このようにして、図８−ｂに示すような易開封性カートンＰを開封することができ、この開封により易開封性カートンＰの前パネル１側を大きく開放させることができ、内容物を容易に取り出すことができる。
【０００５】
図９は従来の易開封性カートンＰのブランクの展開図であり、このブランクＰａは、糊代片１ａ、前パネル１、側パネル２、後パネル３、側パネル４が折れ線ａ、ｂ、ｃ、ｄを介して連接し、かつ、前パネル１、側パネル２、後パネル３、側パネル４の上辺にそれぞれ折れ線ｅ、ｆ、ｇ、ｈを介して天上パネル５、折り込み片６、天パネル７、折り込み片８を連接し、下辺にそれぞれ折罫ｉ、ｊ、ｋ、ｌを介して底上パネル９、折り込み片１０、底パネル１１、折り込み片１２を連設している。
【０００６】
また、前パネル１には、切り取り線として折れ線ｅ、ｉに平行に２条の互いに平行する切り込み線α１、α２で構成されるジッパー部Ｚが形成されている。このブランクＰａから、糊代片１ａと側パネル４の裏面とを接着して折り畳まれた状態の易開封性カートンＰとすることができる。実際に、内容物を充填する場合には、折り込み片６、８と１０、１２をそれぞれ折れ線ｆ、ｈとｊ、ｌとを介して順次内側に折り、そして、天パネル７と底パネル１１を折れ線ｇ、ｋを介して折り、さらに天上パネル５と底上パネル９を折れ線ｅ、ｉを介して折ると共に閉じることにより、図８に示すような形状の易開封性カートンＰとなるものである。
【０００７】
さらに、側パネル２に前パネル１に形成されたジッパー部Ｚを構成する切り込み線α１の端部に連なる切れ線α３を設け、後パネル３に切れ線α３の他端とこれに一端が連続する折れ線Ｈを切り込み線α１、α２に平行に設け、折れ線Ｈの他端と連続し、側パネル２に設けられた切れ線α３と対応するように切れ線α４を側パネル４に設けている。
【０００８】
このブランクＰａを図８のような易開封性カートンＰとした時に、ジッパーＺの開始端を摘んでジッパー部Ｚを切り取り、つぎに、切れ線α３と切れ線α４の部分を引き裂くことにより、易開封性カートンＰをスムーズに開封することができる。
【０００９】
【発明が解決しようとする課題】
しかしながら、上記のような従来の易開封性カートンＰでは、開封後に、再封性がなく、隙間を生じることにより、内容物がこぼれ出すという問題がある。また、ヒンジリッド型のカートンでは易開封の点では、良好ではあるが、バージン性がないため、シール貼りをするか、あるいはプラスチックフィルムによるオーバーラップ包装を行う必要があるという問題がある。
【００１０】
従って、本発明の易開封性カートンは、誰が開封しても前面パネルに開口部が必ず得られるように、容易に、安定して開封ができ、バージン性を有し、かつ、再封性を有する易開封性カートンを提供することを目的とするものである。
【００１１】
【課題を解決するための手段】
前記課題を解決するためになされた本発明は、組み立てた状態で、前パネル、該前パネルと対向する後パネル、該後パネルと前記前パネルとの左右の側部間を閉塞し互いに対向する側パネル、天部開放部を閉塞する天パネルと天上パネル、底部開放部を閉塞する底パネルと底上パネルを有し、前記前パネルには、両側端縁間に亘って切り取り線を設け、前記側パネルには、前記切り取り線に連なる切れ線を設け、前記後パネルには、前記切れ線と連続する折れ線を設けたカートンであって、前記天パネルには、係止パネルを、折れ線を介して連設し、開封前に、該係止パネルが、折り込まれて前記前パネルの上部の裏面側に位置し、前記係止パネルの先端辺が前記切り取り線よりも下方に位置していることを特徴とする易開封性カートンである。
【００１２】
本発明によれば、誰が開封しても前面パネルに開口部が必ず得られるように、安定して、しかも容易に開封ができ、バージン性を有し、かつ、係止パネルにより再封性が可能な易開封性カートンを提供することができる。
【００１３】
【発明の実施の形態】
以下、図面に基づいて詳細に説明する。図１は、本発明の易開封性カートンの第一の実施の形態の一実施例を示す図である。この易開封性カートンＡは、開封前の外観上では、図１−ａに示すように、従来の易開封性カートンＰと同様であるが、開封後では、図１−ｂに示すように、従来の易開封性カートンＰとは異なり、前パネルの上部の裏面側に天パネル７に連設した係止パネルＸを保有している。この係止パネルＸを前パネル１のジッパー部Ｚより下部の裏面側に差し込むことによって、開封後に、再封が可能となり、内容物がこぼれ出ることを防ぐことができる。
【００１４】
図２は、本発明による易開封性カートンＡのブランクの展開図である。このブランクＡａは、糊代片１ａ、前パネル１、側パネル２、後パネル３、側パネル４が折れ線ａ、ｂ、ｃ、ｄを介して連接し、かつ、前記前パネル１、側パネル２、後パネル３、側パネル４の上辺にそれぞれ折れ線ｅ、ｆ、ｇ、ｈを介して天上パネル５、折り込み片６、天パネル７、折り込み片８を連接し、下辺にそれぞれ折罫ｉ、ｊ、ｋ、ｌを介して底上パネル９、折り込み片１０、底パネル１１、折り込み片１２を連接している。また、天パネル７には、折れ線ｍを介して係止パネルＸを連接している。
【００１５】
そして、従来の易開封性カートンＰと同様に、前パネル１には、切り取り線として折れ線ｅ、ｉに平行に２条の互いに平行する切り込み線α１、α２で構成されるジッパー部Ｚを設けている。
【００１６】
さらに、側パネル２に前パネル１に形成されたジッパー部Ｚを構成する切り込み線α１の端部に連なる切れ線α３を設け、後パネル３に切れ線α３の他端とこれに一端が連続する折れ線Ｈを切り込み線α１、α２に平行に設け、折れ線Ｈの他端と連続し、側パネル２に設けられた切れ線α３と対応するように切れ線α４を側パネル４に設けている。なお、この折れ線Ｈの両端部には、図２に示すように、側パネル２の切れ線α３および側パネル４の切れ線α４が一部延長して入り込んだ形状とすることができる。この形状にすることにより、易開封性カートンＡの上の部分の後方への回動を容易に行うことができる。
【００１７】
糊代片１ａにも、側パネル４と糊代片１ａとを貼り合せた時に、側パネル４に設けた切れ線α４と重なる形状で切れ線α５を設けている。
本実施例では、切り取り線を２条の互いに平行する切り込み線α１、α２で構成されたジッパーとしているが、平行でない形状であってもよい。また、必ずしもジッパーとする必要はなく、一本の切れ線であってもよい。さらに、本実施例では、側パネル２、４および糊代片１ａに設けた切れ線α３、α４、α５を傾斜した形状で設けているが、切り込み線α１、α２に平行に設けてもよい。
【００１８】
つぎに、上記のブランクＡａから本発明の易開封性カートンＡを組み立てる工程を説明する。まず最初に、図３−ａに示すように、前パネル１を側パネル２側に折り曲げ、そして、側パネル４を後パネル３側に折り曲げて側パネル４の裏面と糊代片１ａとを貼り合せて、図３−ｂに示すような折り畳んだ状態とする。この工程は、通常の製函工程で行うことができる。つぎに、この折り畳まれた状態の易開封性カートンＡを起こして内容物を収納し、上下の開放された部分を密封する。上の開放された部分においては、図３−ｃに示すように、折り込み片６、８を内側に折り曲げ、天パネル７を内側に折り曲げ、同時に天パネル７に連設した係止パネルＸを前パネル１の裏面側に差し込む。そして、その天パネル７を覆うように天上パネル５を折り曲げて天パネル７と貼り合せる。下の開放された部分においては、図３−ｄに示すように、折り込み片１０、１２を内側に折り曲げ、底パネル１１を内側に折り曲げ、その底パネル１１を覆うように底上パネル９を折り曲げて底パネル１１と貼り合せる。このように、第一の実施の形態の易開封性カートンＡは、筒状に組み立てた状態で内容物を収納した後に、上下の開放された部分を密封することにより、形成される。
【００１９】
つぎに、図４は本発明による易開封性カートンＡの開封、再封を説明する図である。まず、ジッパーＺの開始端を、図４−ａに示すように、摘んでジッパー部Ｚを切り取ることにより、前パネル１が上下に切断される。
【００２０】
つぎに、易開封性カートンＡのジッパー部Ｚよりも上の部分が把持され、図４−ｂに示すように、これを後パネル３側に折るように回動させる。これにより、側パネル２の切れ線α３、側パネル４の切れ線α４は、上下方向の引張力により破断し、側パネル２、側パネル４を上下に切断する。この切れ線α３、切れ線α４の切断により、これらの上方には易開封性カートンＡの上の部分が形成される。
【００２１】
そして、その回動動作によって後パネル３に設けられた折れ線Ｈがヒンジとなり、カートン上部はこの折れ線Ｈを回転中心として後方へ回動される。このようにして、図１−ｂに示すような易開封性カートンＡを開封することができ、この開封により易開封性カートンＡの前パネル１側を大きく開放させることができ、内容物を容易に取り出すことができる。
【００２２】
再封する時には、図４−ｃに示すように、前パネル１のジッパー部Ｚで切り取られた上の部分の裏面側から突出している係止パネルＸの先端部を、前パネル１のジッパー部Ｚで切り取られた下の部分の裏面側に差し込むことにより、易開封性カートンＡの上の部分を係止することができ、内容物がこぼれ出ることを防ぐことができる。
【００２３】
つぎに、本発明の易開封性カートンの第二の実施の形態の一実施例を説明する。なお、第一の実施の形態と同様の構成要素には同一の符号を付している。第一の実施の形態が、ブランクから折り畳まれた状態の易開封性カートンとし、さらに起こして筒状の易開封性カートンとして内容物を充填した後、上下の開放された部分を密封して組み立てる形態であるのに対して、第二の実施の形態の易開封性カートンＢは、ブランクの状態から内容物を収納し、そして易開封性カートンを組み立てる、いわゆる、ラップラウンド形式の形態である。外観そして開封方法などは、第一の実施の形態の易開封性カートンＡと同様である。
【００２４】
図５は、本発明による易開封性カートンＢのブランクの展開図である。このブランクＢａは、前パネル１、側パネル２、後パネル３、側パネル４、糊代片４ａが折れ線ａ、ｂ、ｃ、ｄを介して連接し、かつ、前記前パネル１、側パネル２、後パネル３、側パネル４の上辺にそれぞれ折れ線ｅ、ｆ、ｇ、ｈを介して天上パネル５、折り込み片６、天パネル７、折り込み片８を連接し、下辺にそれぞれ折罫ｉ、ｊ、ｋ、ｌを介して底上パネル９、折り込み片１０、底パネル１１、折り込み片１２を連接している。また、底パネル１１には、折れ線ｎを介して底差し込み片１１ａを連設し、天パネル７には、折れ線ｍを介して係止パネルＸを連接している。
なお、天上パネル５および底上パネル９は必ずしも必要ではないが、これらのパネルを設けることによって、より易開封性カートンＢの強度を高くすることができる。
【００２５】
そして、第一の実施の形態の易開封性カートンＡと同様に、前パネル１に折れ線ｅ、ｉに平行に２条の互いに平行する切り込み線α１、α２で構成されるジッパー部Ｚを設けている。
【００２６】
さらに、側パネル２に前パネル１に形成されたジッパー部Ｚを構成する切り込み線α１の端部に連なる切れ線α３を設け、後パネル３に切れ線α３の他端とこれに一端が連続する折れ線Ｈを切り込み線α１、α２に平行に設け、折れ線Ｈの他端と連続し、側パネル２に設けられた切れ線α３と対応するように切れ線α４を側パネル４に設けている。
【００２７】
糊代片４ａには、前パネル１と糊代片４ａとを貼り合せた時に、前パネル１に設けたジッパー部Ｚと重なる形状でジッパー部ｚを設けている。
【００２８】
つぎに、上記のようなブランクＢａから易開封性カートンＢを組み立てる工程を説明する。易開封性カートンＢはブランクＢａから内容物Ｏを包むように組み立てられるいわゆるラップラウンド形式のカートンであり、最初に、図６−ａに示すように、後パネル３の内面に内容物Ｏを載置する。その内容物Ｏを覆うように、各パネルを内側に折り曲げていくが、まず、図６−ｂに示すように、側パネル４を内側に直角に折り曲げ、そして、側パネル２を内側に直角に折り曲げる。同時に、天折り込み片６、８、底折り込み片１０、１２を内側に折り曲げる。
つぎに、図６−ｂ、図６−ｃに示すように、天パネル７を、内側に直角に折り曲げ、係止パネルＸを内容物Ｏを覆うように折り曲げ、底パネル１１を内側に直角に折り曲げ、底差し込み片１１ａを内容物Ｏを覆うように折り曲げる。
つづいて、図６−ｃ、図６−ｄに示すように、糊代片４ａと前パネル１を内容物Ｏを覆うように折り曲げ、前パネル１の裏面と糊代片４ａとを貼り合せる。
最後に、天上パネル５を天パネル７の上に折り曲げ、底上パネル９を底パネル１１の上に折り曲げてそれぞれ貼り合せる。
このように、第二の実施の形態の易開封性カートンＢは、ブランクの状態から内容物を収納し、内容物を包むようにして組み立てることにより、形成される。
【００２９】
図７は、本発明の易開封性カートンの変形例の斜視図である。この易開封性カートンＣでは、再封の時に、カバーパネルＸを前パネル１の内側に差し込むのではなく、図７−ｂに示すように、前パネル１に設けた差し込み口Ｙに差し込むことができる。このことにより、再封を確実に行うことができる。なお、図７に示した差し込み口Ｙは、差し込み口の一例を示したものであり、特にこの例の形状に限定されるものではない。
【００３０】
【発明の効果】
従って、本発明の易開封性カートンは、誰が開封しても前面パネルに開口部が必ず得られるように、容易に、安定して開封ができ、バージン性を有し、かつ、係止パネルを開封した前パネルの裏面側に差し込むこと、あるいは前パネルに設けた差し込み口に差し込むことにより再封することができる易開封性カートンである。
【図面の簡単な説明】
【図１】本発明の易開封性カートンの第一の実施の形態の一実施例を示す斜視図である。
【図２】本発明の易開封性カートンの第一の実施の形態の一実施例のブランクの展開図である。
【図３】本発明の易開封性カートンの第一の実施の形態の一実施例の組み立てを説明する図である。
【図４】本発明の易開封性カートンの第一の実施の形態の一実施例の開封、再封を説明する図である。
【図５】本発明の易開封性カートンの第二の実施の形態の一実施例のブランクの展開図である。
【図６】本発明の易開封性カートンの第二の実施の形態の一実施例の内容物を充填して組み立てる工程を説明する図である。
【図７】本発明の易開封性カートンの変形例を示す斜視図である。
【図８】従来の易開封性カートンの一例を示す斜視図である。
【図９】従来の易開封性カートンの一例のブランクの展開図である。
【符号の説明】
Ａ    易開封性カートン（第一の実施の形態の一実施例）
Ａａ  ブランク
Ｂ    易開封性カートン（第二の実施の形態の一実施例）
Ｂa  ブランク
Ｃ    易開封性カートン（変形例）
Ｐ    易開封性カートン（従来）
Ｐａ  ブランク
１    前パネル
１ａ  糊代片
２    側パネル
３    後パネル
４    側パネル
４ａ  糊代片
５    天上パネル
６    折り込み片
７    天パネル
８    折り込み片
９    底上パネル
１０    折り込み片
１１    底パネル
１２    折り込み片
Ｘ    係止パネル
Ｙ    差し込み口
Ｚ    ジッパー
ｚ    ジッパー（糊代片）
Ｈ    折れ線(ヒンジ）
α１  切り込み線
α２  切り込み線
α３  切れ線
α４  切れ線
α５  切れ線
【図１】
0004736179.tif 000002
【図２】
0004736179.tif 000003
【図３】
0004736179.tif 000004
【図４】
0004736179.tif 000005
【図５】
0004736179.tif 000006
【図６】
0004736179.tif 000007
【図７】
0004736179.tif 000008
【図８】
0004736179.tif 000009
【図９】
0004736179.tif 000010